(57)【要約】輸送ならびに点検および使用のためのアクセスに対してアイインプラントレンズを安全に保持するための装置であって、保持装置がレンズを保持するためのチャンバを有している、装置。一実施形態においては、チャンバは、整列させられた透明部分を有し、レンズは、該透明部分と整列して配置されることができ、点検を可能にする。また、該装置とボトルアセンブリとを含むシステムであって、該ボトルアセンブリは該装置を該ボトルの中に保持する、システム。アイインプラントレンズを保持する方法であって、レンズは、該装置の中に配置され、該装置は次に、ボトルアセンブリの中に配置されることができる、方法。
2013519430.tif 000002
【特許請求の範囲】
【請求項１】
レンズを損傷から保護しつつ、輸送、格納、ならびに試験および使用に対するアクセスを可能にする、レンズに対する保持装置であって、該保持装置は、
格納チャンバを有するケースであって、該ケースは、上側ケース部分と下側ケース部分とを含み、該上側ケース部分と該下側ケース部分とは、共に結合可能であり、上側ケーススペース要素と下側ケーススペース要素とをそれぞれ含み、該上側ケーススペース要素と該下側ケーススペース要素とは、接続されたとき、隣接して位置し、該格納チャンバを画定する、ケースと、
該格納チャンバの収納構造であって、レンズが該格納チャンバに設置されたとき、該レンズを実質的に固定した位置に保つ収納構造と、
該下側ケーススペース要素の下側ケース透明部分であって、レンズが設置されたとき、該レンズは、該下側ケース透明部分と実質的に整列させられる、下側ケース透明部分と、
該上側ケーススペース要素の上側ケース透明部分であって、該下側ケース透明部分から離されて置かれ、該下側ケース透明部分の反対側に整列させられる上側ケース透明部分と
を備え、該レンズは、該下側ケース透明部分および該上側ケース透明部分を通して光学的にアクセス可能である、保持装置。
【請求項２】
前記収納構造は、前記下側ケーススペース要素においてレッジを備え、レンズの周囲は、前記格納チャンバに設置されたとき、該レッジ上に着座することができる、請求項１に記載の保持装置。
【請求項３】
前記収納構造はポストを備え、該ポストは、前記下側ケーススペース要素から上向きに延びて前記格納チャンバの中に入り、それによって、中心に位置する開口部を有するレンズは、該開口部を通して該ポスト上に設置されることができる、請求項１に記載の保持装置。
【請求項４】
接続構造をさらに備え、該接続構造は、
前記上側ケースまたは前記下側ケースのうちの１つにおける一対のスロットであって、該一対のスロットは、中心点に対して放射状の形状であり、実質的に直径方向の反対側にある、一対のスロットと、
該上側ケースまたは該下側ケースのうちの他方における一対のタブであって、各タブは、該スロットのそれぞれの１つと接触するように延びている、一対のタブと
を備え、
それによって、該上側および下側ケースを整列させ、接近させると、該タブは、該スロットと係合して、第１の位置から第２の接続された位置へ該上側および下側ケースの制御された相対的な回転を可能にする、請求項１に記載の保持装置。
【請求項５】
前記タブを有する前記上側ケースまたは前記下側ケースのうちの前記１つにおける戻り止ラッチと、前記上側または下側ケースのうちの前記他方におけるラッチ受け入れ開口部とをさらに備え、前記回転がなされたとき、該ラッチ受け入れ開口部の中に、該戻り止ラッチが入る、請求項４に記載の保持装置。
【請求項６】
前記スロットは前記下側ケースにあり、前記タブは前記上側ケースにあり、前記戻り止ラッチは該下側ケースにあり、前記ラッチ受け入れ開口部は該上側ケースにある、請求項５に記載の保持装置。
【請求項７】
前記上側ケースまたは前記下側ケースのうちの１つにハンドルをさらに備えている、請求項１に記載の保持装置。
【請求項８】
前記ハンドルは前記下側ケースにある、請求項７に記載の保持装置。
【請求項９】
請求項７に記載の装置を収納するための収納アセンブリであって、該収納アセンブリは、前記ハンドルを受け入れるための空洞を有する可撓性ストッパと、該ストッパが中に挿入されるボトルとを備え、それによって、前記保持装置は、該ストッパから該ボトルの中に垂れる、収納アセンブリ。
【請求項１０】
眼への移植のために使用されるタイプのレンズを輸送する方法であって、該方法は、
請求項１９に記載の保持装置を提供することと、
格納チャンバにレンズを配置することと、
接続可能な部分を接続することと
を含み、該レンズは、透明部分と実質的に整列させられ、該透明部分を通して該レンズは光学的にアクセス可能である、方法。
【請求項１１】
前記格納チャンバはレッジを備え、レンズの周囲は、該格納チャンバに設置されたとき、該レッジ上に着座することができる、請求項１０に記載の方法。
【請求項１２】
前記格納チャンバはポストを備え、該ポストは、該格納チャンバの透明部分の中心において該格納チャンバの一側面から延びて、該格納チャンバの中に入り、それによって、中心に位置する開口部を有するレンズは、該開口部を通して該ポスト上に設置されることができ、透明部分と整列させられることができる、請求項１０に記載の方法。
【請求項１３】
前記ケースは上側ケースと下側ケースとを備え、そして接続構造をさらに備え、該接続構造は、
該上側ケースまたは該下側ケースのうちの１つにおける一対のスロットであって、該一対のスロットは、中心点に対して放射状の形状であり、実質的に直径方向の反対側にある、一対のスロットと、
該上側ケースまたは該下側ケースのうちの他方における一対のタブであって、該一対のタブは、該案内要素と接触するように延びている、一対のタブと
を備え、
それによって、該上側および下側ケースを整列させ、接近させると、該タブは、該スロットと係合して、第１の位置から第２の接続された位置へ該上側および下側ケースの制御された相対的な回転を可能にする、請求項１０に記載の方法。
【請求項１４】
前記タブを有する前記上側ケースまたは前記下側ケースのうちの前記１つにおける戻り止ラッチと、前記上側または下側ケースのうちの前記他方におけるラッチ受け入れ開口部とをさらに備え、前記回転がなされたとき、該ラッチ受け入れ開口部の中に、該戻り止ラッチが入る、請求項１３に記載の方法。
【請求項１５】
前記スロットは前記下側ケースにあり、前記タブは前記上側ケースにあり、前記戻り止ラッチは該下側ケースにあり、前記ラッチ受け入れ開口部は該上側ケースにある、請求項１３に記載の方法。
【請求項１６】
前記上側ケースまたは前記下側ケースのうちの１つにハンドルをさらに備えている、請求項１０に記載の方法。
【請求項１７】
前記ハンドルは前記下側ケースにある、請求項１６に記載の方法。
【請求項１８】
請求項１に記載の装置を収納するための収納装置であって、該収納装置は、前記ハンドルを受け入れるための空洞を有する可撓性プラグと、該プラグが中に挿入可能であるボトルとを備え、それによって、前記保持装置は、該プラグから該ボトルの中に垂れる、収納装置。
【請求項１９】
レンズの動きまたは器具との接触を最小とし、輸送、格納ならびに試験および使用に対するアクセスを可能にする、レンズに対する保持装置であって、該保持装置は、
実質的に固定した位置にレンズを収納するように適合された格納チャンバを有するケースを備え、
該ケースは、該格納チャンバの相対する側に離されて位置する透明部分を有し、該透明部分は実質的に整列させられ、それによって、レンズが該格納チャンバに収納されたとき、該レンズは、該透明部分を通して光学的にアクセス可能である、保持装置。
【請求項２０】
前記ケースは、該ケースを開いてレンズが前記格納チャンバに配置されることを可能にする手段を備えている、請求項１９に記載の保持装置。
【請求項２１】
前記ケースは、２つの接続可能な部分を備え、該２つの接続可能な部分は、接続の前に、前記格納チャンバへのアクセスを可能にして、レンズを該格納チャンバに配置し、そして接続されたとき、該格納チャンバを閉じる、請求項１９に記載の保持装置。
【請求項２２】
前記接続可能な部分は、上側ケース部分と下側ケース部分とを備え、該上側ケース部分と該下側ケース部分は、接続されたとき、前記格納チャンバを画定する、請求項２１に記載の保持装置。
【請求項２３】
前記下側ケース部分は、レンズ位置決め構造を有し、それによって、前記格納チャンバにおけるレンズは、前記透明部分に対して実質的に固定された位置に保持される、請求項２２に記載の保持装置。
【請求項２４】
前記位置決め構造はレッジを備え、レンズは、該レッジ上に配置されることができる、請求項２３に記載の保持装置。
【請求項２５】
前記位置決め構造はポストを備え、該ポストは、前記格納チャンバの中に入るように延びており、レンズは、該レンズの中心に位置する穴を通して該ポスト上に設置されることができる、請求項２３に記載の保持装置。
【請求項２６】
前記部分は、前記下側ケースの前記透明部分から中央に延びる、請求項２５に記載の保持装置。
【請求項２７】
前記ポストは、前記格納チャンバを貫通し、そして前記上側ケースの前記透明部分の穴の中に入る、請求項２６に記載の保持装置。
【請求項２８】
前記接続可能な部分は、
前記上側ケースまたは前記下側ケースのうちの１つにおける一対のスロットであって、該一対のスロットは、中心点に対して円周方向に延び、実質的に直径方向の反対側にある、一対のスロットと、
該上側ケースまたは該下側ケースのうちの他方における一対のタブであって、各タブは、該スロットのそれぞれの１つの中に入るように延びるように位置決めされる、一対のタブと
を備え、
それによって、該上側および下側ケースを整列させ、接近させると、該タブと該スロットとは係合して、第１の位置から第２の接続された位置へ該上側および下側ケースの制御された相対的な回転を可能にする、請求項２２に記載の保持装置。
【請求項２９】
前記タブを有する前記上側ケースまたは前記下側ケースのうちの前記１つにおける戻り止ラッチと、前記上側または下側ケースのうちの前記他方におけるラッチ受け入れ開口部とをさらに備え、前記回転がなされたとき、該ラッチ受け入れ開口部の中に、該ラッチが入る、請求項２８に記載の保持装置。
【請求項３０】
前記スロットは前記下側ケースにあり、前記タブは前記上側ケースにあり、前記戻り止ラッチは該下側ケースにあり、前記ラッチ受け入れ開口部は該上側ケースにある、請求項２９に記載の保持装置。
【請求項３１】
前記戻り止ラッチは、前記下側ケースにあり、前記ラッチ受け入れ開口部は前記上側ケースにある、請求項３０に記載の保持装置。
【請求項３２】
前記透明部分は、中央において前記中心点と整列させられる、請求項２８に記載の保持装置。
【請求項３３】
前記ケース上にハンドルをさらに備えている、請求項１９に記載の保持装置。
【請求項３４】
レンズの動きまたは器具との接触を最小とし、輸送、格納ならびに試験および使用に対するアクセスを可能にする、レンズに対する保持装置であって、該保持装置は、
該保持装置において格納チャンバを提供するための手段と該格納チャンバにおいてレンズを保持するための手段とを備えている、保持装置。
【請求項３５】
前記格納チャンバにおける前記レンズにアクセスして、該レンズを取り出すための
手段をさらに備えている、請求項３４に記載の保持装置。
【請求項３６】
レンズが前記保持装置の中にある間に該レンズを光学的に点検するための手段をさらに備えている、請求項３４に記載の保持装置。
【請求項３７】
容器の中に前記保持装置を保持するための手段をさらに備えている、請求項３６に記載の保持装置。
【請求項３８】
前記保持装置の中に保持されたレンズをさらに備えている、請求項３４に記載の保持装置。
【請求項３９】
アイインプラントレンズを輸送し、試験し、該アイインプラントレンズにアクセスすることを可能にするシステムであって、該システムは、
請求項１９に記載の保持装置と、
ボトルアセンブリと
を備え、該ボトルアセンブリは保持要素を含み、該保持要素は、該保持装置の前記透明部分が前記ボトルを通して光学的にアクセス可能である位置で該保持装置を該ボトルの中に保持するように適合される、システム。
【請求項４０】
前記ボトルは相対する平らな側面を有し、前記保持要素は、前記透明部分が該平らな側面と整列させられるように前記保持アセンブリを位置決めすることを可能にする、請求項３９に記載のシステム。
【請求項４１】
前記保持装置はハンドルを有し、前記保持要素は前記ボトルの中で該保持装置の該ハンドルを保持するように適合される、請求項３９に記載のシステム。
【発明の詳細な説明】
【技術分野】
【０００１】
（１．発明の分野）
本発明は、輸送および格納の間、例えば製造の地点から使用の地点まで、レンズを保持し、かつ点検およびアクセスを容易にする保持および輸送デバイスに関する。
【背景技術】
【０００２】
（２．一般的な背景）
眼の外科手術の分野においては、２つのタイプのアイレンズインプラント、角膜内および眼球内インプラントが存在する。これらの各々においては、小さなレンズが、眼の角膜に、または虹彩にもしくは虹彩の近くに移植される。レンズは非常に小さく、例えば、角膜内レンズの場合では、直径が１ｍｍ〜４ｍｍの範囲であり、眼球内レンズの場合では、直径が４ｍｍ〜８ｍｍの範囲である。製造の地点から移植まで、レンズは何らかの種類の容器で注意深く維持されなくてはならない。製造、出荷および格納から移植までの動作の間、レンズの取り扱いは、レンズ自体にとって有害であり、また危険を伴うものであり、そのように小さな品目の取り扱いに対しては不便である。１つの環境から別の環境へのレンズの移送を低減すること、およびレンズの実際の取り扱いを最少にして試験及び使用のためにレンズにアクセスすることを可能にすることへの必要性がある。
【発明の概要】
【課題を解決するための手段】
【０００３】
本発明は、アイインプラントレンズ（ｅｙｅ  ｉｍｐｌａｎｔ  ｌｅｎｓ）を輸送することおよびそのようなレンズを適宜試験しアクセスする能力の分野に属する。実施形態は、レンズ保持装置とレンズ保持装置を容器と組み合わせるシステムとを含む。１つの特徴は、レンズが最小の動きとなるように、レンズ保持装置の中に閉じ込められることである。別の特徴は、レンズがレンズ保持装置の中にある間に、およびレンズが容器の中にある間にもレンズを点検することができることである。本発明は、そのようなレンズの輸送、格納および試験において重要であるいくつかの機能を提供する。この機能は、レンズを保護することと、レンズが保持装置に保持されたままの間にレンズを試験することを可能にすることと、保持装置の中にレンズを適宜配置し、かつレンズが使用されるときにレンズを適宜取り出すことを可能にすることを含む。レンズ保持装置の実施形態は、レンズが中に配置されることのできるチャンバを画定する２つの部分を含み、これら２つの部分は、分離可能かつ結合可能であることにより、レンズが設置され、その後に取り出されることを可能にする。２つの部分の透明部分は整列させられて、レンズの光学的試験および観察を可能にする。保持装置はまた、ハンドルを有し、このハンドルは、保持装置がボトルの固定した位置に留まるように、ボトルアセンブリの一部分に嵌められることができる。
【図面の簡単な説明】
【０００４】
本発明の目的および利点の更なる理解のために、添付の図面と連携して、以下の詳細な説明への参照がなされるべきであり、これら図面においては、同様の部分には、同様の参照番号が与えられている。
【図１】図１は、組み立てられたレンズ輸送装置の斜視図である。
【図２】図２は、組み立てられたレンズ輸送装置の上面図である。
【図３】図３は、下側ケースの上面図である。
【図４】図４は、下側ケースの側面図である。
【図５】図５は、図３の５−５を通る断面図である。
【図６】図６は、図３における下側ケースの円で囲まれた部分Ａの拡大図である。
【図７】図７は、図６の７−７を通る断面図である。
【図８】図８は、上側ケースの斜視図である。
【図９】図９は、上側ケースの上面図である。
【図１０】図１０は、上側ケースの正面図である。
【図１１】図１１は、上側ケースの側面図である。
【図１２】図１２は、組み立てに対して準備が完了した位置にある上側ケースおよび下側ケースの底面斜視図である。
【図１３】図１３は、組み立てに対して準備が完了した位置にある上側ケースおよび下側ケースの上面図である。
【図１４】図１４は、装置の上面図であり、上側ケースおよび下側ケースは、組み立てられた位置にある。
【図１５】図１５は、図１５の１５−１５を通る断面図である。
【図１６】図１６は、図１５の部分Ｂの拡大詳細断面図であり、レンズを有する格納チャンバを示す。
【図１７】図１７は、レンズを有する代替の格納チャンバの拡大詳細断面図である。
【図１８】図１８は、保持装置、保持装置に保持されたレンズ、保持プラグおよびボトルの分解図である。
【図１９】図１９は、ボトルの内側の保持装置の図である。
【発明を実施するための形態】
【０００５】
本発明は、図面と連携して以下の説明から理解される。
【０００６】
図１および図２は、レンズを保持するために組み立てられた構成にある保持装置１０の斜視図および上面図である。保持装置１０は２つの部分、上側ケース１２および下側ケース１４を有する。図１および図２において、保持装置１０は、完全に組み立てられた形にある。すなわち、上側ケース１２および下側ケース１４は、レンズを保持するための最終的な位置にある。この説明において、用語「レンズ」は、あらゆるタイプのアイレンズインプラントを指す。
【０００７】
図３〜図７は、下側ケース１４の実施形態を示す。下側ケース１４は、（図３のサークルＡ内に示される）ほぼ平らな収納部分１６およびハンドル部分１８を有する。さらに図１６および図１７を参照すると、収納部分１６は、下側ケーススペース要素２０を有し、下側ケーススペース要素２０は、円形の部分ボス２２ａおよび２２ｂによって画定される。クリアウィンドウエリア２４が、スペース部分２０内にあり、クリアウィンドウエリア２４の中心には、ポスト２６があり、ポスト２６は、ウィンドウエリア２４の上にショルダ２８を有する。軸３０が、ウィンドウエリアの中心によって画定され、ポスト２６を貫通する。ウィンドウエリアは、収納部分１６と一体をなす部分であり、プラスチックモールディング技術において公知である方法によって、下側ケース１４を作製するモールディングプロセスの間に透明にされる。
【０００８】
下側ケース１４の収納部分１６は、内部表面２９および外部表面３１を有し、厚さＴを画定する。下側ケース１４の収納部分１６は、スロット３２および３４を有し、スロット３２および３４は、軸３０の周りに円形の形状に延び、それらは、ほぼ反対に位置している。各スロットは、開口部３６および３８をそれぞれ有している。ラッチが突起３９によって画定され、この実施形態においては、突起３９は、円形であり、内部表面２９から上向きである。収納部分１６は、開口部４０を有し、開口部４０は、一側方から軸に向かって延び、ウィンドウエリア２４の中に丁度入ったエッジ４１で終わる。開口部４０は、以下に説明されるように、レンズの取り出しを容易にするために役立つ。ハンドル部分１８は、容器ノブ４４およびタング４６、スペーサバー４８およびサポートビーム５０を有し、収納部分１６は、サポートビーム５０に取り付けられている。
【０００９】
下側ケース１４は、単一ピースのプラスチック、ポリサルフォンから成形され、Ｓｏｌｖａｙ  Ａｄｖａｎｃｅｄ  Ｐｏｌｙｍｅｒｓ  ＵＤＥＬ−Ｐ１７００  ＣＬ２６１１およびＵＤＥＬ  Ｐ１７００  ＮＴ  ０６が、その例である。クリアウィンドウエリア２４は、各サイドを磨くことによって作製される。磨かれた表面は、高度に磨かれた表面を有するピンをモールドの中に挿入することによって達成される。
【００１０】
上側ケース１２は、図８〜１１および図１６および１７に示されている。上側ケース１２は、収納部分５２およびハンドル５４を有している。収納部分５２は、ほぼ平らな本体５３から構成されている。本体５３の下側からタブ５６および５８が突出している。タブは、リム６０および６２をそれぞれ有している。リム６０および６２は、フロントにおいてより薄く始まり、リアに向かってより厚くなるウェッジ形状を有している。このウェッジ形状は、リムと本体５３の表面との間のスペースＳを次第に低減する効果を有している。見られるように、下側ケース１４の収納部分１６の厚さＴは、スペースＳにおいて把持され、それによってウェッジ形状は、アセンブリを収容して固定したアセンブリが生じる。クリア円形ウィンドウエリア６４は、スペース要素６８の６６において中心を画定し、スペース要素６８は、上側ケーススペース部分を画定する円形リム７０に囲まれている。タブ５６および５８は、中心６６の周りで円形である。軸３０は、中心６６を貫く。ウィンドウ６４は、中心のアパーチャを有し、上側および下側ケースが組み立てられるとき、ポスト２６がこの中心のアパーチャの中に延びて入る。上側ケースはスロット７２を有している。
【００１１】
（透明部分とも呼ばれる）ウィンドウエリア２４および６４は、それぞれのケース部分と一体になるように作製されることができるか、または別個に作製、設置されることができる。ウィンドウエリア２４および６４は、チャンバの内側のレンズの光学的試験を可能にするように構成される。
【００１２】
レンズ保持装置を使用するために、上側ケースおよび下側ケースは、レンズ８０が、ポスト２６上に嵌められた後に接続される。それらを接続する手順は、図１２および１３に示されている。図１２は、下側ケース１４の下から見上げている。上側ケース１２は、所定の位置にあり、上側ケースのタブ５６および５８は、下側ケースのスロット３２および３４の開口部３６および３８に隣接している。図１３は、装置の上から見下ろしており、上側および下側ケースは、図１２におけると同じように準備ができた位置にある。
【００１３】
アセンブリを作製するために、上側および下側ケース１２は、図１２において矢印ＬおよびＭによって例示されるように互いに対して回転させられて、図１４に示されるとおりの最終的な組み立てられた位置に収まる。上側ケース１２の上部の指定「こちら側が上」に留意されたい。これは、レンズが接続される前に落ちないようにするために、および後で点検、取り出しのために、部品を保持するための指示である。上側および下側ケースを回転させるステップにおいて、タブ５６および５８は、スロット３２および３４に入り、その一方、リム６０および６２は、収納部分１６を把持する。また、回転ステップの最後において、ラッチ３９が、スロット７２の中に入って（「カチッ」という音が聞こえる）、ポジティブな組み立てられた状態を提供する。
【００１４】
図１６は、上側ケースおよび下側ケースが格納スペースにおいてレンズ８０と共に組み立てられたときの、上側ケースおよび下側ケースの拡大断面図Ｄを示し、この格納スペースは、下側ケースのスペース要素２０および上側ケースのスペース要素６８によって画定される。レンズ８０は、ショルダ２８に着座するポスト２６上の所定の位置にある。
【００１５】
代替の実施形態が図１７に示されている。この実施形態において、下側ケース７４の構造は、レンズをサポートするポストを有せず、その代わり、レンズは、ボス２２ａおよび２２ｂの内側で、下側ケース７４のフロア７６に着座している。また、この実施形態において、上側ケース１２のウィンドウ６４は、穴を有しない。この実施形態の相違は、レンズがポスト上に固定されている図１６の構造と比較して、レンズは十分に固定しているが、ポジティブには保持されていない点にある。
【００１６】
レンズ８０を移植するためのように、レンズ８０へのアクセスが所望されるとき、例えば外科用鉗子またはレンズ挿入デバイスのような把持デバイスがくぼみ４０の中に入れられることができ、１つのアームはレンズより上にあり、１つのアームはレンズより下にあり、アームの間でレンズを把持する。このように、くぼみは、把持デバイスのアームがレンズ８０にアクセスすることを可能にする。
【００１７】
上記説明のとおりにレンズ輸送装置が構成されると、このレンズ輸送装置は、特注の、または商業的に入手可能な容器で搬送されることができる。図１８は、レンズ保持装置１０を示し、レンズ保持装置１０は、ハンドル部分４４によって可撓性のプラスチックプラグ９０に保持され、ハンドル部分４４は、プラグ９０の把持部９２の中に押し込まれる。次に、プラグ９０がボトル９６に設置され、キャップ９４がねじ込まれる。平らな側面を有する図１９におけるような容器９６を提供することも可能であり、これらの平らな側面により、レンズ保持装置を容器から取外す必要なくこれらの平らな側面を通して点検が可能となる。使用に際しては、ボトルは通常、食塩水で満たされる。
【００１８】
レンズの点検は、一般的なレンズ測定計を使用してなされることができる。保持装置は、液体で満たされたガラスキュベットの中に挿入され得る。このような点検方法は、ジオプターパワー（ｄｉｏｐｔｅｒ  ｐｏｗｅｒ）および解像度のコンタクトレンズ測定に対して一般的である。
【００１９】
本発明に対するレンズ点検は、例えば、光（ジオプター）出力、レンズのサイズ、および例えば表面の品質のようなコスメチックに対するものである。図１６および１７において、どのようにして測定がなされるかを示すために、光線が示されている。
【００２０】
レンズ輸送装置が、レンズが移植される地点に到着した後、レンズは、レンズを把持するために特に設計されたデバイスによって取り出される。一部の場合においては、このデバイスは、単にレンズを取り出すためだけに使用されるが、大抵の場合においては、このデバイスは、レンズを目の中に挿入するための挿入デバイスでもある。くぼみ４０が使用されるのはこの時点においてである。なぜならば、くぼみ４０は、把持デバイスが、レンズの上部と底部との両方にアクセスして、レンズを把持し、取り出すことを可能にするからである。
【００２１】
本発明は、特定の実施形態の観点から説明されているが、他の実施形態が、当業者によって容易に適合させられ得る。従って、本発明の範囲は、下記の請求項によってのみ限定される。
【００２２】
上記の例示的実施形態の詳細な説明は、法律の要件に従って例示および開示の目的で提示されている。上記の例示的実施形態の詳細な説明は、網羅的であることも、本発明を説明された正確な形に限定することも意図されておらず、本発明が特定の用途または実装に対していかに適切であり得るかを当業者が理解することを可能にすることだけが意図されている。本発明の範囲内での変更および変化の可能性が、当業者には明らかである。いかなる制限も例示的実施形態の説明によって意図されておらず、これら例示的実施形態は、許容差、特徴の寸法、特定の動作条件、工業規格、などを含み得たであろうし、そしてこれらは、実装の間で、または技術水準の変化と共に、変化し得るものであり、それらからいかなる限定も汲まれるべきではない。本開示は、現在の技術水準についてなされているが、しかし、進歩も勘案されており、将来における適合は、それらの進歩を考慮に入れること、すなわち、そのときの技術水準に従うことが、勘案されている。本発明の範囲は、書かれたとおりの請求項および適用可能である均等物によって定義されることが意図されている。単数での請求項中の要素への言及は、明確な言明がなければ、「１つ、ただ１つ」を意味するようには意図されていない。さらに、要素、構成要素、またはステップが請求項に明確に記載されているか否かにかかわらず、本開示の要素、構成要素、方法またはプロセスステップが公に捧げられることは意図されていない。要素が、「〜のための手段」というフレーズを使用して明確に記載されていなければ、本願の請求項中の要素は、米国特許法第１１２条第６項の規定の下で解釈されるべきではなく、本明細書のいかなる方法またはプロセスステップも、ステップまたは複数のステップが「〜のためのステップ（複数可）」というフレーズを使用して明確に記載されていなければ、そのような規定の下で解釈されるべきではない。
【図１】
2013519430.tif 000003
【図２】
2013519430.tif 000004
【図３】
2013519430.tif 000005
【図４】
2013519430.tif 000006
【図５】
2013519430.tif 000007
【図６】
2013519430.tif 000008
【図７】
2013519430.tif 000009
【図８】
2013519430.tif 000010
【図９】
2013519430.tif 000011
【図１０】
2013519430.tif 000012
【図１１】
2013519430.tif 000013
【図１２】
2013519430.tif 000014
【図１３】
2013519430.tif 000015
【図１４】
2013519430.tif 000016
【図１５】
2013519430.tif 000017
【図１６】
2013519430.tif 000018
【図１７】
2013519430.tif 000019
【図１８】
2013519430.tif 000020
【図１９】
2013519430.tif 000021
【国際調査報告】
2013519430.tif 000022